(57)【要約】      （修正有）【課題】携帯端末機器と電子機器との通信を伴い記憶媒体に記憶されたコンテンツの再生を行う場合に、詳細な視聴制限の設定が可能な電子機器を提供する。【解決手段】情報再生機器１は携帯端末２と通信を行うＢｌｕｅｔｏｏｔｈ（登録商標）モジュール７と、コンテンツを記憶した第１のＳＤカード３を着脱可能である第１のＳＤカードスロット８とを有する。情報再生機器１は、各コンテンツに対し再生許可の設定を行う。再生許可の設定がされたコンテンツを再生する場合は、再生許可された携帯端末２との通信が確立している場合のみ再生する。【選択図】図１
2010113671.tif 000002
【特許請求の範囲】
【請求項１】
コンテンツが記憶された記憶媒体を着脱可能なスロットと、
外部機器である携帯端末機との無線通信を行うための通信部と、
前記通信部を介して前記携帯端末機との無線通信が確立した場合に、この携帯端末機に対して、前記スロットに装着された記憶媒体に記憶されているコンテンツの再生許可を設定する設定手段と、
前記スロットに装着された記憶媒体に記憶されているコンテンツが、前記設定手段により再生許可の設定がされているコンテンツである場合には、前記通信部との通信が確立している携帯端末機が、前記設定手段により再生許可が設定された携帯端末機である場合に限り、このコンテンツの再生を行う再生手段と
を具備することを特徴とする電子機器。
【請求項２】
前記設定手段は、前記コンテンツの再生に前記携帯端末機との通信の確立の要否も併せて設定することを特徴とする請求項１に記載の電子機器。
【請求項３】
前記再生手段が、前記設定手段において前記コンテンツの再生に前記携帯端末機との通信の確立が必要であると設定されたものについてのみ再生を行う請求項２に記載の電子機器。
【請求項４】
前記設定手段における設定の内容は、前記記憶媒体もしくは自装置記憶することを特徴とする請求項３に記載の電子機器。
【請求項５】
前記電子機器は、前記スロットに装着された記憶媒体に記憶されているコンテンツに関する情報を、前記通信部を介して無線通信が確立している携帯端末機に対して出力することを特徴とする請求項４に記載の電子機器。
【請求項６】
前記再生手段は、前記通信部を介して無線通信が確立している前記携帯端末機からの指示に従い前記コンテンツの再生を開始することを特徴とする請求項５に記載の電子機器。
【請求項７】
前記設定手段における前記コンテンツの再生に前記携帯端末機との通信の確立の要否の設定は、前記通信部を介して無線通信が確立している前記携帯端末機からの指示に従い実施することを特徴とする請求項６に記載の電子機器。
【請求項８】
前記再生手段により再生されているコンテンツを外部機器である表示装置に出力する出力部を有することを特徴とする請求項４に記載の電子機器。
【請求項９】
前記外部端末と前記通信部との通信は、Ｂｌｕｅｔｏｏｔｈ規格に準拠していることを特徴とする請求項８に記載の電子機器。
【請求項１０】
コンテンツが記憶された第１の記憶媒体を着脱可能な第１のスロットと、
外部機器である携帯端末機との無線通信を行う機能を有した第２の記憶媒体を着脱可能な第２のスロットと、
前記第２のスロットに装着された前記第２の記憶媒体を介して携帯端末機との無線通信が確立した場合に、この携帯端末機に対して、前記第１のスロットに装着された記憶媒体に記憶されているコンテンツの再生許可を設定する設定手段と、
前記第１のスロットに装着された前記第１の記憶媒体に記憶されているコンテンツが、前記設定手段により再生許可の設定がされているコンテンツである場合には、前記第２の記憶媒体との通信が確立している携帯端末機が、前記設定手段により再生許可が設定された携帯端末機である場合に限り、このコンテンツの再生を行う再生手段とを
を具備することを特徴とする電子機器。
【発明の詳細な説明】
【技術分野】
【０００１】
本発明は、コンテンツを再生する電子機器に関する。
【背景技術】
【０００２】
電子機器の１つに録画されたコンテンツを、携帯電話などの携帯端末機器からの遠隔操作により再生を実施する情報再生機器がある。特許文献１には、サーバーに携帯端末機器及び情報再生機器を登録し、登録されている情報再生機器に記憶されているコンテンツを携帯端末機器から利用可能とした情報視聴システムが開示されている。
【特許文献１】特開２００４−２３４２００号公報（第２４頁、図１）
【発明の開示】
【発明が解決しようとする課題】
【０００３】
しかし、上述の情報視聴システムは、情報再生機器及び携帯端末機器の情報の登録さえすれば、コンテンツの再生が可能となってしまう。従って、所定のコンテンツを所定のユーザーにのみ視聴可能にするような、詳細な視聴制限の設定ができないという問題がある。
【０００４】
そこで本発明は上記問題点を解決するためになされたものであり、携帯端末機器と電子機器との通信を伴い記憶媒体に記憶されたコンテンツの再生を行う場合に、詳細な視聴制限の設定が可能な電子機器を提供することを目的とする。
【課題を解決するための手段】
【０００５】
上記目的を達成するために、本発明に係る情報再生機器は、コンテンツが記憶された記憶媒体を着脱可能なスロットと、外部機器である携帯端末機との無線通信を行うための通信部と、前記通信部を介して前記携帯端末機との無線通信が確立した場合に、この携帯端末機に対して、前記スロットに装着された記憶媒体に記憶されているコンテンツの再生許可を設定する設定手段と、前記スロットに装着された記憶媒体に記憶されているコンテンツが、前記設定手段により再生許可の設定がされているコンテンツである場合には、前記通信部との通信が確立している携帯端末機が、前記設定手段により再生許可が設定された携帯端末機である場合に限り、このコンテンツの再生を行う再生手段とを具備することを特徴としている。
【発明の効果】
【０００６】
本発明によれば、携帯端末機器と電子機器との通信を伴い記憶媒体に記憶されたコンテンツの再生を行う場合に、詳細な視聴制限の設定が可能である。
【発明を実施するための最良の形態】
【０００７】
以下、本発明の実施の形態について図１〜図１１を用いて説明する。
【０００８】
（第１の実施の形態）
図１は、本発明の第１の実施の形態における情報再生機器１によるコンテンツ視聴システム１００を示した図である。本実施の形態におけるコンテンツ視聴システム１００は、情報再生機器１と、携帯端末２と、第１のＳＤ（Ｓｅｃｕｒｅ  Ｄｉｇｉｔａｌ）カード３と、表示装置４と、リモコン５とを主たる構成としている。第１のＳＤカード３は本発明に係る記憶媒体に該当する。まず、本実施の形態におけるコンテンツ視聴システム１００の主な構成要素について説明する。
【０００９】
情報再生機器１は、Ｂｌｕｅｔｏｏｔｈモジュール７と、第１のＳＤカードスロット８と、赤外線受信部９とを備えている。Ｂｌｕｅｔｏｏｔｈモジュール７は本発明に係る通信部に該当する。Ｂｌｕｅｔｏｏｔｈモジュール７は、Ｂｌｕｅｔｏｏｔｈ通信機能を有する携帯端末２とＢｌｕｅｔｏｏｔｈ規格に準じた通信（以下「Ｂｌｕｅｔｏｏｔｈ通信」という）を行う。このＢｌｕｅｔｏｏｔｈはＢｌｕｅｔｏｏｔｈ  Ｓｐｅｃｉａｌ  Ｉｎｔｅｒｅｓｔ  Ｇｒｏｕｐ  Ｉｎｃｏｒｐｏｒａｔｅｄが所有する商標または登録商標である。第１のＳＤカードスロット８は、第１のＳＤカード３が着脱可能であり、第１のＳＤカード３に記憶されたコンテンツ等を読み出す。また情報再生機器１は、リモコン５や携帯端末２からの再生指示を受け付け、後述する手順に従い表示装置４に出力する。即ち、第１のＳＤカード３を装着したのみではコンテンツの再生表示は行わず、後述する諸設定の判別を行った後にコンテンツのリスト表示及び再生を行う。赤外線受信部９はリモコン５からの再生指示や、諸設定の指示を受信する。
【００１０】
携帯端末２は、Ｂｌｕｅｔｏｏｔｈ通信機能を有し、情報再生機器１のＢｌｕｅｔｏｏｔｈモジュール７とＢｌｕｅｔｏｏｔｈ通信を行う。例えば携帯電話などが挙げられる。
【００１１】
第１のＳＤカード３は、動画配信サービスやネットワーク上からダウンロードした映画等のコンテンツを記憶している。第１のＳＤカード３は第１のＳＤカードスロット８に着脱可能であり、情報再生機器１によりコンテンツのデータが読み込まれ再生される。
【００１２】
表示装置４は、ＬＣＤ（Ｌｉｑｕｉｄ  Ｃｒｙｓｔａｌ  Ｄｉｓｐｌａｙ）等から構成され、第１のＳＤカード３に記憶されたコンテンツのリスト表示や再生指示されたコンテンツの表示を行う。表示装置４がリモコンを備える場合、そのリモコンからも情報再生機器１へ再生指示等を行うことができるとしても良い。この場合、表示装置４のリモコンから発せられる制御信号は、例えばＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）コネクタ１６等の出力部を介して情報再生機器１に伝送される。
【００１３】
リモコン５は、ユーザーの操作に応じた制御信号を赤外線通信により赤外線受信部９へ送信する。例えば、表示装置４に表示されたコンテンツリストから再生を行うコンテンツの選択を行う場合や、コンテンツ再生の指示等である。
【００１４】
次に、上述の構成要素からなるコンテンツ視聴システム１００において、通信可能とする携帯端末２の設定からコンテンツ再生までの処理を説明する。以下、特筆しない限り、第１のＳＤカード３は情報再生機器１の第１のＳＤカードスロット８に装着した第１のＳＤカード３を指す。図２は、本発明の第１の実施の形態における情報再生機器１の再生までの設定手順を示したフローチャートである。再生までの設定は、情報再生機器１と通信可能な携帯端末２を登録し（ステップＳ１）、フラグ付けを行い（ステップＳ２）、再生判別（ステップＳ３）の順番で行う。ここで「フラグ付け」とはコンテンツに対し再生を許可する携帯端末２の設定を行うことである。
【００１５】
再生許可設定の前段階として、情報再生機器１と通信可能な携帯端末２を事前登録しておく（ステップＳ１）。この携帯端末２の登録は、携帯端末２のＭＡＣ（Ｍｅｄｉａ  Ａｃｃｅｓｓ  Ｃｏｎｔｒｏｌ）アドレスや、携帯端末２が携帯電話の場合には電話番号等を、情報再生機器１又は第１のＳＤカード３に記憶する。
【００１６】
尚、ステップＳ１において、携帯端末２に対してフラグ付けの優先順位を設定しても良い。即ち、上位の携帯端末２により施されたフラグは、下位の携帯端末２によって変更することができない。例えば保護者の携帯端末２を子供の携帯端末２に比して優先度を高く設定した場合に、保護者の携帯端末２により設定されたフラグ付けは子供の携帯端末２によっては変更が不可能である。これにより第１のＳＤカード３に記憶されたコンテンツを情報再生機器１にて再生する場合に、ユーザーに応じた適切なコンテンツ再生が行われる。
【００１７】
次に、第１のＳＤカード３に記憶されたコンテンツに対しフラグ付けを行う（ステップＳ２）。このフラグ付けは、ステップＳ１において設定した携帯端末２と情報再生機器１との通信が確立している状態で行うとする。図３を用いてフラグ付けの例を示し、フラグ付け手順の詳細は図５と、図６と、図８及び図９のフローチャートを用いて後述する。図３は本発明の第１の実施の形態における情報再生機器１によるコンテンツの再生許可状態を表示した画面の例である。図３に示した例においては、コンテンツリストと、携帯端末２と、コンテンツの再生許可の状態とが表示されている。ここでコンテンツリストとは、第１のＳＤカード３に記憶されているコンテンツである。また携帯端末リストは、ステップＳ１で情報再生機器１と通信可能であると設定された携帯端末２のリストである。
【００１８】
図３の例では、第１のＳＤカード３には映画αと、スポーツβと、ドラマγが記憶されている。また、ステップＳ１において情報再生機器１と通信可能と設定された携帯端末２は携帯端末Ａと、携帯端末Ｂと、携帯端末Ｃである。映画αについては携帯端末Ａ及び携帯端末Ｂに再生が許可され、携帯端末Ｃには許可されていない。スポーツβについては３台の携帯端末２に再生が許可されている。ドラマγについては携帯端末Ａのみに再生が許可され、携帯端末Ｂ及び携帯端末Ｃには許可されていない。このようにコンテンツについて携帯端末２ごとに再生を許可するか否かの設定がされている状態を、フラグ付けがされているという。各コンテンツに対するフラグ付けの情報は、情報再生機器１若しくは第１のＳＤカード３に記憶される。
【００１９】
次に、情報再生機器１はフラグ付けされているコンテンツの再生判別を行う（ステップＳ３）。再生判別手順の詳細は、図７のフローチャートを用いて後述する。再生判別とは即ち、再生を許可するとフラグ付けされた携帯端末２との通信が確立した場合はそのコンテンツの再生を行い、再生を許可しないとフラグ付けされた携帯端末２と通信が確立した場合はそのコンテンツの再生は行わない。図３の例においては、情報再生機器１と携帯端末Ａとの通信が確立した場合、映画αと、スポーツβと、ドラマγを再生することが可能である。また携帯端末Ｂとの通信が確立した場合、スポーツβ及びドラマγが再生可能であるが、ドラマγは再生不可能である。また携帯端末Ｃとの通信が確立した場合、スポーツβが再生可能であるが、映画α及びドラマγは再生不可能である。
【００２０】
尚、本実施の形態では情報再生機器１によるコンテンツ視聴システム１００を以上のように構成するものとしたが、必ずしもこれに限られない。例えば、リモコン５をコンテンツ視聴システム１００に含まない場合は、情報再生機器１に設けられた操作装置によって情報再生機器１の操作を行う構成にすれば良い。また表示装置４をコンテンツ視聴システム１００に含まない場合は、携帯端末２の画面にて再生を行うとすれば良い。
【００２１】
次に図４を用いて情報再生機器１の構成を説明する。図４は、本発明の第１の実施の形態における情報再生機器１のハードウェアを示す図である。
【００２２】
情報再生機器１は、Ｂｌｕｅｔｏｏｔｈモジュール７と、赤外線受信部９と、ＲＡＭ（Ｒａｎｄｏｍ  Ａｃｃｅｓｓ  Ｍｅｍｏｒｙ）１１と、ＲＯＭ（Ｒｅａｄ  Ｏｎｌｙ  Ｍｅｍｏｒｙ）１２と、ＣＰＵ（Ｃｅｎｔｒａｌ  Ｐｒｏｃｅｓｓｉｎｇ  Ｕｎｉｔ）１３と、ＬＡＮ（Ｌｏｃａｌ  Ａｒｅａ  Ｎｅｔｗｏｒｋ）コネクタ１４と、ＵＳＢ（Ｕｎｉｖｅｒｓａｌ  Ｓｅｒｉａｌ  Ｂｕｓ）コネクタ１５と、ＨＤＭＩコネクタ１６と、電源入力コネクタ１７と、電源コントローラ１８と、第１のＳＤカードコントローラ１９と、映像信号出力端子２０と、第１のＳＤカードコネクタ２１とを主たる構成としている。各要素はバスＢと接続している。
【００２３】
Ｂｌｕｅｔｏｏｔｈモジュール７はＢｌｕｅｔｏｏｔｈ通信機能を有する外部機器と、Ｂｌｕｅｔｏｏｔｈ通信を行う。また携帯端末２の画面にてコンテンツをリスト表示させる場合には、読み込んだコンテンツ情報等を携帯端末２へ出力する。
【００２４】
赤外線受信部９はリモコン５からコマンドを赤外線通信等により受信し、指示内容を情報再生機器１に伝送する。
【００２５】
ＲＡＭ１１は、各種プログラムを展開する記憶装置である。
【００２６】
ＲＯＭ１２は、各種プログラムを格納する記憶装置である。後述するフラグ付けアプリケーションや、再生アプリケーション等を格納している。通信可能な携帯端末２の端末情報及び各コンテンツに対するフラグ付けの情報を情報再生機器１に記憶する場合は、それらの記憶を行う。
【００２７】
ＣＰＵ１３は、各機能を実現する制御プログラムの命令を実行し、情報再生機器１全体の動作を制御する中央処理装置である。
【００２８】
ＬＡＮコネクタ１４は、ネットワークに接続する場合のＬＡＮケーブル等を着脱可能な端子である。
【００２９】
ＵＳＢコネクタ１５は、ＵＳＢメモリ等を着脱可能な端子である。
【００３０】
ＨＤＭＩコネクタ１６は、再生するデジタル映像信号を表示装置４に伝送するためのインタフェース端子である。ＨＤＭＩコネクタ１６は映像信号に加え各種制御信号を送受信することが可能であり、表示装置４が受信した制御信号に基づき情報再生機器１の操作が可能としても良い。また、表示装置４にコンテンツをリスト表示させる場合には、読み込んだコンテンツ情報等を表示装置４へ出力する。
【００３１】
電源入力コネクタ１７は、外部電源装置から情報再生機器１の起動電力を入力する端子である。
【００３２】
電源コントローラ１８は、電源入力コネクタ１７から入力された電力を制御する。
【００３３】
第１のＳＤカードコントローラ１９は、第１のＳＤカード３のコンテンツ情報等を読み出す。
【００３４】
映像信号出力端子２０は、再生するアナログ映像信号を表示装置４に伝送するコンポジット端子である。また、表示装置４にコンテンツをリスト表示させる場合には、読み込んだコンテンツ情報等を表示装置４へ出力する。
【００３５】
第１のＳＤカードコネクタ２１は第１のＳＤカード３を着脱可能な端子である。
【００３６】
バスＢは、各ハードウェアを接続する伝送路である。
【００３７】
尚、本実施の形態では情報再生機器１を以上のように構成するものとしたが、必ずしもこれに限られない。ＬＡＮコネクタ１４や、ＵＳＢコネクタ１５を含まない構成としても良く、また表示装置４に出力するＨＤＭＩコネクタ１６及び映像信号出力端子２０は何れかを含む構成でも良い。また、ＳＤカードスロット８やＳＤカードコントローラ１９は、１つに限られず複数含まれる構成としても良い。本発明の実施の形態は、Ｂｌｕｅｔｏｏｔｈモジュール７と、ＳＤカードコントローラ１９と、第１のＳＤカードコネクタ２１との機能により実現される。
【００３８】
次に、情報再生機器１で行うコンテンツに対するフラグ付けの手順を、図５を用いて説明する。このフラグ付けは、図３に示したコンテンツの再生までの設定手順のステップＳ２である。この手順は情報再生機器１のＲＯＭ１２に記憶されているフラグ付けアプリケーションにより実行される。図５は、本発明の第１の実施の形態における情報再生機器１によるフラグ付け処理のフローチャートである。
【００３９】
まず、情報再生機器１のフラグ付けアプリケーションを起動させる（ステップＳ１１）。次に、情報再生機器１の第１のＳＤカードスロット８に第１のＳＤカード３が装着されたか否かを判別する（ステップＳ１２）。
【００４０】
その結果、第１のＳＤカード３が認識されなかった場合（ステップＳ１２のＮｏ）、後述するステップＳ１９に進む。一方、第１のＳＤカード３が認識された場合（ステップＳ１２のＹｅｓ）、次に情報再生機器１は、携帯端末２とのＢｌｕｅｔｏｏｔｈ通信が確立されているか否かを判別する（ステップＳ１３）。
【００４１】
その結果、携帯端末２とのＢｌｕｅｔｏｏｔｈ通信が確立されていないと判別した場合（ステップＳ１３のＮｏ）、Ｂｌｕｅｔｏｏｔｈ通信を確立したと判別するまで以後の処理は行わない。一方、携帯端末２とのＢｌｕｅｔｏｏｔｈ通信が確立したと判別した場合（ステップＳ１３のＹｅｓ）、次に情報再生機器１は、読み込んだＭＡＣアドレスを元に、事前に情報再生機器１に登録された携帯端末２であるか否かを判別する（ステップＳ１４）。
【００４２】
Ｂｌｕｅｔｏｏｔｈ通信が確立するまでの処理を簡単に説明する。まず、携帯端末２は通信圏内にＢｌｕｅｔｏｏｔｈ通信を行う機器が存在するか否かを判別する。Ｂｌｕｅｔｏｏｔｈ通信を行う機器が圏内に存在すると判別した場合、その機器間でＢｌｕｅｔｏｏｔｈモジュールのＭＡＣアドレスを読み込む等の初期設定を行う。Ｂｌｕｅｔｏｏｔｈ通信の初期設定がされた後、ＰＩＮ（Ｐｅｒｓｏｎａｌ  Ｉｄｅｎｔｉｆｉｃａｔｉｏｎ  Ｎｕｍｂｅｒ）コードを入力し、Ｂｌｕｅｔｏｏｔｈ通信の通信認証を実行し、Ｂｌｕｅｔｏｏｔｈ通信が確立する。
【００４３】
その結果、登録された携帯端末２ではないと判別した場合（ステップＳ１４のＮｏ）、後述するステップＳ１９に進む。一方、登録された携帯端末２であると判別した場合（ステップＳ１４のＹｅｓ）、次に情報再生機器１は、コンテンツに対するフラグ付けの要求がされたか否かを判別する（ステップＳ１５）。
【００４４】
その結果、フラグ付けの要求が無いと判別した場合（ステップＳ１５のＮｏ）、後述するステップＳ１９に進む。一方、フラグ付けの要求がされたと判別した場合（ステップＳ１５のＹｅｓ）、次に情報再生機器１は、第１のＳＤカード３に複数のコンテンツが記憶されているか否かを判別する（ステップＳ１６）。
【００４５】
その結果、第１のＳＤカード３に複数のコンテンツが記憶されていると判別した場合（ステップＳ１６のＹｅｓ）、表示装置４又は携帯端末２に第１のＳＤカード３に記憶されているコンテンツのリストを表示し、フラグ付けを行うコンテンツの選択を行う（ステップＳ１６´）。一方、第１のＳＤカード３に複数のコンテンツが記憶されていないと判別した場合（ステップＳ１６のＮｏ）、及びフラグ付けを行うコンテンツを選択した場合（ステップＳ１６´）、そのコンテンツに対しフラグ付けを行う（ステップＳ１７）。即ち、そのコンテンツについて再生を許可する携帯端末２を選択する。
【００４６】
次に情報再生機器１は、他のコンテンツにもフラグ付けを行うか否かを判別する（ステップＳ１８）。その結果、他のコンテンツにもフラグ付けを行うと判別した場合（ステップＳ１８のＹｅｓ）、フラグ付けを行うコンテンツの選択を行う（ステップＳ１６´）。
【００４７】
以後の処理は上述と同様であるので説明は省略する。一方、他のコンテンツにフラグ付けを行わないと判別した場合（ステップＳ１８のＮｏ）、次にアプリケーションを終了するか否かを判別する（ステップＳ１９）。フラグ付けを行わないと判別する場合は、例えばＳＤカードに記憶されているコンテンツが１つの場合や、他のコンテンツについては再生について制限をかける必要が無いと判断された場合である。
【００４８】
その結果、フラグ付けアプリケーションを終了すると判別した場合（ステップＳ１９のＹｅｓ）、情報再生機器１はフラグ付けアプリケーションを終了する（ステップＳ２０）。一方、フラグ付けアプリケーションを終了しないと判別した場合（ステップＳ１９のＮｏ）、情報再生機器１は再びステップＳ１２からの処理を行う。
【００４９】
また、上述の情報再生機器１によるコンテンツのフラグ付けを、携帯端末２で行うことができるようにしても良い。この場合は、情報再生機器１のＲＯＭ１２に記憶されているフラグ付けアプリケーションをＢｌｕｅｔｏｏｔｈ通信経由で携帯端末２にダウンロードすることにより実行される。または携帯端末２がネットワークにアクセスし、ダウンロードするものとしても良い。図６は、本発明の第１の実施の形態における携帯端末２によるフラグ付け処理のフローチャートである。
【００５０】
まず、携帯端末２は、携帯端末２のフラグ付けアプリケーションを起動させる（ステップＳ２１）。次に携帯端末２は、情報再生機器１とＢｌｕｅｔｏｏｔｈ通信が確立したか否かを判別する（ステップＳ２２）。
【００５１】
その結果、情報再生機器１とＢｌｕｅｔｏｏｔｈ通信が確立していないと判別した場合（ステップＳ２２のＮｏ）、Ｂｌｕｅｔｏｏｔｈ通信が確立したと判別するまで以後の処理は行わない。一方、Ｂｌｕｅｔｏｏｔｈ通信が確立したと判別した場合（ステップＳ２２のＹｅｓ）、次に携帯端末２は、読み込んだＭＡＣアドレスを元に情報再生機器１にて自装置が通信可能な携帯端末２として登録されているか否かを判別する（ステップＳ２３）。
【００５２】
その結果、情報再生機器１にて自装置が登録されていない場合（ステップＳ２３のＮｏ）、後述するステップＳ２９に進む。一方、情報再生機器１にて自装置が登録されている場合（ステップＳ２３のＹｅｓ）、次に、携帯端末２は、情報再生機器１の第１のＳＤカードスロット８に装着された第１のＳＤカード３を認識したか否かを判別する（ステップＳ２４）。
【００５３】
その結果、第１のＳＤカード３が認識していないと判別した場合（ステップＳ２４のＮｏ）、後述するステップＳ２９に進む。一方、第１のＳＤカード３が認識したと判別した場合（ステップＳ２４のＹｅｓ）、次に携帯端末２は、コンテンツに対するフラグ付けの要求がされたか否かを判別する（ステップＳ２５）。
【００５４】
その結果、フラグ付けの要求されていないと判別した場合（ステップＳ２５のＮｏ）、後述するステップＳ２９に進む。一方、フラグ付けの要求がされたと判別した場合（ステップＳ２５のＹｅｓ）、次に携帯端末２は、第１のＳＤカード３に複数のコンテンツが記憶されているか否かを判別する（ステップＳ２６）。
【００５５】
その結果、第１のＳＤカード３に複数のコンテンツが記憶されていると判別した場合（ステップＳ２６のＹｅｓ）、表示装置４又は携帯端末２に第１のＳＤカード３に記憶されているコンテンツのリストを表示し、フラグ付けを行うコンテンツの選択を行う（ステップＳ２６´）。一方、第１のＳＤカード３に複数のコンテンツが記憶されていないと判別した場合（ステップＳ２６のＮｏ）、及びフラグ付けを行うコンテンツを選択した場合（ステップＳ２６´）、そのコンテンツに対しフラグ付けを行う（ステップＳ２７）。次に携帯端末２は、他のコンテンツにもフラグ付けを行うか否かを判別する（ステップＳ２８）。
【００５６】
その結果、他のコンテンツにもフラグ付けを行うと判別した場合（ステップＳ２８のＮｏ）、フラグ付けを行うコンテンツの選択を行う（ステップＳ２６´）。以後の処理は上述と同様であるので説明は省略する。一方、他のコンテンツにフラグ付けを行わないと判別した場合（ステップＳ２８のＮｏ）、次に、携帯端末２は、フラグ付けアプリケーションを終了するか否かを判別する（ステップＳ２９）。フラグ付けを行わないと判別する場合は、例えばＳＤカードに記憶されているコンテンツが１つの場合や、他のコンテンツについては再生について制限をつける必要が無いと判断された場合である。
【００５７】
その結果、フラグ付けアプリケーションを終了すると判別した場合（ステップＳ２９のＹｅｓ）、携帯端末２はフラグ付けアプリケーションを終了する（ステップＳ３０）。一方、フラグ付けアプリケーションを終了しないと判別した場合（ステップＳ２９のＮｏ）、携帯端末２は再びステップＳ２２からの処理手順を行う。
【００５８】
次に、情報再生機器１で行うコンテンツ再生判別の手順を、図７を用いて説明する。この再生判別は、図３に示したコンテンツの再生までの設定手順のステップＳ３である。この再生判別の手順は情報再生機器１のＲＯＭ１２に記憶されている再生アプリケーションにより実行される。図７は、本発明の第１の実施の形態における情報再生機器１による再生判別手順のフローチャートである。
【００５９】
まず情報再生機器１は、再生アプリケーションを起動させる（ステップＳ４１）。次に情報再生機器１は第１のＳＤカード３を認識したか否かを判別する（ステップＳ４２）。
【００６０】
その結果、第１のＳＤカード３を認識していないと判別した場合（ステップＳ４２のＮｏ）、第１のＳＤカード３を認識するまで以後の処理は行わない。一方、第１のＳＤカード３を認識したと判別した場合（ステップＳ４２のＹｅｓ）、次に情報再生機器１は、携帯端末２とＢｌｕｅｔｏｏｔｈ通信が確立されているか否かを判別する（ステップＳ４３）。
【００６１】
その結果、携帯端末２とのＢｌｕｅｔｏｏｔｈ通信が確立されていないと判別した場合（ステップＳ４３のＮｏ）、以後の処理はＢｌｕｅｔｏｏｔｈ通信が確立されたと判別するまで行わない。一方、携帯端末２との通信が確立されたと判別した場合（ステップＳ４３のＹｅｓ）、次に情報再生機器１は、読み込んだＭＡＣアドレスを元に、事前に情報再生機器１に登録された携帯端末２であるか否かを判別する（ステップＳ４４）。
【００６２】
その結果、登録された携帯端末２でないと判別した場合（ステップＳ４４のＮｏ）、後述するステップＳ５０に進む。一方、登録された携帯端末２であると判別した場合（ステップＳ４４のＹｅｓ）、次に情報再生機器１は、コンテンツの再生要求がされたか否かを判別する（ステップＳ４５）。
【００６３】
その結果、コンテンツの再生要求がされていないと判別した場合（ステップＳ４５のＮｏ）、再生要求がされたと判別するまで以後の処理は行わない。一方、コンテンツの再生要求がされたと判別した場合（ステップＳ４５のＹｅｓ）、次に情報再生機器１は、第１のＳＤカード３にコンテンツが複数記憶されているか否かを判別する（ステップＳ４６）。
【００６４】
その結果、第１のＳＤカード３にコンテンツが複数記憶されていると判別した場合（ステップ４６のＹｅｓ）、第１のＳＤカード３に記憶されているコンテンツを、携帯端末２又は表示装置４にリスト表示した中から、再生を行うコンテンツを選択する（ステップ４６´）。一方、第１のＳＤカード３にコンテンツが複数記憶されていないと判別した場合（ステップＳ４６のＮｏ）、及び再生を行うコンテンツが選択された場合（ステップＳ４６´）、コンテンツがフラグ付けされているか否かを判別する（ステップＳ４７）。
【００６５】
その結果、コンテンツにフラグ付けされていないと判別した場合（ステップＳ４７のＮｏ）、そのコンテンツを再生する（ステップＳ４９）。一方、コンテンツにフラグ付けされていると判別した場合（ステップＳ４７のＹｅｓ）、次に情報再生機器１は、通信中の携帯端末２にそのコンテンツの再生が許可されているか否かを判別する（ステップＳ４８）。
【００６６】
その結果、通信中の携帯端末２にそのコンテンツの再生が許可されていないと判別した場合（ステップＳ４８のＮｏ）、後述するステップＳ５０に進む。一方、通信中の携帯端末２にそのコンテンツの再生が許可されていると判別した場合（ステップＳ４８のＹｅｓ）、そのコンテンツを再生する（ステップＳ４９）。
【００６７】
次に情報再生機器１は、再生アプリケーションを終了するか否かを判別する（ステップＳ５０）。その結果、再生アプリケーションを終了しないと判別した場合（ステップＳ５０のＮｏ）、再びステップＳ４２からの手順に従って処理を行う。一方、再生アプリケーションを終了すると判別した場合（ステップＳ５０のＹｅｓ）、再生アプリケーションを終了する（ステップＳ５１）。
【００６８】
本実施の形態における情報再生機器１によれば、通信可能と設定した携帯端末２とＢｌｕｅｔｏｏｔｈ通信が確立しない限り第１のＳＤカード３に記憶されたコンテンツの再生がされず、第１のＳＤカード３の不正利用が防止される。更にコンテンツのフラグ付けを施されたコンテンツについては、再生の許可された携帯端末２との通信が無い限り、そのコンテンツの再生が行われず、ユーザーに対応した詳細な視聴制限の設定が可能となる。
【００６９】
またコンテンツ視聴システム１００に携帯端末２を加えた構成により、ＳＤカードを情報再生機器１に装着した場合、記憶したコンテンツを携帯端末２の画面にリスト表示することができる。ＳＤカードは他のメディアに比して、小型でありメディアの表面にタイトル等のコンテンツ内容を印刷することが困難である。本実施の形態によれば、ＳＤカードに記憶したコンテンツのリストを携帯端末２の画面に表示させることができ、利便性が高い。また表示装置４の大画面上に表示する前に、予め携帯端末２の小型画面で確認することが可能であり、有害コンテンツが青少年の目に触れることを防止できる。
【００７０】
尚、本実施の形態においては、情報再生機器１と携帯端末２との無線通信についてＢｌｕｅｔｏｏｔｈ通信を例にとったが、無線ＬＡＮやＺｉｇｂｅｅといった通信方式でも良い。また携帯端末２についても、携帯電話のみでなく非接触式ＩＣ（Ｉｎｔｅｇｒａｔｅｄ  Ｃｉｒｃｕｉｔ）カード等でも良い。
【００７１】
（第１の実施の形態の変形例）
上述の第１の実施の形態ではフラグ付けをコンテンツごとに行うとしたが、フラグ付けをＳＤカードごとに行えるとしても良い。即ち、そのＳＤカードに記憶されているコンテンツ全てにフラグ付けが一斉に行うことが可能である。図８は、本発明の第１の実施の形態の変形例における情報再生機器によるフラグ付け処理のフローチャートである。第１の実施の形態と同様のステップは同じ符号で示す。本変形例が第１の実施の形態と異なる点は、ステップＳ１６と、ステップＳ１６´と、ステップＳ１８とが無くなり、ステップＳ１５がステップＳ１５´に、ステップＳ１７がステップＳ１７´に夫々代わる点である。
【００７２】
情報再生機器１が、ステップＳ１４で事前に通信を許可すると登録された携帯端末２であると判別した場合（ステップＳ１４のＹｅｓ）、第１のＳＤカード３についてフラグ付けの要求があったか否かを判別する（ステップＳ１５´）。その結果、第１のＳＤカード３についてフラグ付けの要求がないと判別した場合（ステップＳ１５´のＮｏ）、後述するステップＳ１９に進む。一方、第１のＳＤカード３についてフラグ付けの要求があると判別した場合（ステップＳ１５´のＹｅｓ）、その第１のＳＤカード３にフラグ付けを行う（ステップＳ１７´）。以後の処理は第１の実施の形態と同様である。
【００７３】
また、同様にして携帯端末２においてもＳＤカードについてフラグ付けが行えるとしても良い。図９は、本発明の第１の実施の形態の変形例における携帯端末２によるフラグ付け処理のフローチャートである。第１の実施の形態と同様のステップは同じ符号で示す。
【００７４】
本変形例と第１の実施の形態とが異なる点は、ステップＳ２６と、ステップＳ２６´と、ステップＳ２８とが無くなり、ステップＳ２５がステップＳ２５´に、ステップＳ２７がステップＳ２７´に夫々代わる点である。
【００７５】
携帯端末２が、ステップＳ２４で第１のＳＤカード３が認識されたと判別した場合（ステップＳ２４のＹｅｓ）、次に第１のＳＤカード３についてフラグ付けの要求があったか否かを判別する（ステップＳ２５´）。その結果、第１のＳＤカード３についてフラグ付けの要求がないと判別した場合（ステップＳ２５´のＮｏ）、後述するステップＳ２９に進む。一方、第１のＳＤカード３についてフラグ付けの要求があると判別した場合（ステップＳ２５´のＹｅｓ）、その第１のＳＤカード３にフラグ付けを行う（ステップＳ２７´）。
【００７６】
本変形例によるＳＤカードに対するフラグ付けは、ＳＤカードを個人専用として使用する場合に特に利便性が高い。即ち、あるＳＤカードについてその所有者の携帯端末２とフラグ付けを設定すれば、その所有者の携帯端末２との通信が確立しない限り再生を行うことができないため、ＳＤカードの不正使用を防止することができる。
【００７７】
（第２の実施の形態）
図１０は、本発明の第２の実施の形態における情報再生機器１によるコンテンツ視聴システム１００を示した図である。本実施の形態におけるコンテンツ視聴システム１００は、情報再生機器１と、携帯端末２と、第１のＳＤカード３と、表示装置４と、リモコン５と、第２のＳＤカード６とを主たる構成としている。第２のＳＤカード６はＢｌｕｅｔｏｏｔｈ通信機能を有するＳＤカードであることを特徴とし、本発明に係る第２の記憶媒体に該当する。
【００７８】
図１１は、本発明の第２の実施の形態における情報再生機器のハードウェアを示す図である。本実施の形態が第１の実施の形態と異なる点は、情報再生機器１のハードウェアにＢｌｕｅｔｏｏｔｈモジュール７を有さず、代わりに第２のＳＤカードコントローラ２２と、第２のＳＤカードコネクタ２３とを有する。
【００７９】
本実施の形態が第１の実施の形態と異なる点は、情報再生機器１がＢｌｕｅｔｏｏｔｈ通信機能を有さない点である。第２のＳＤカードスロット１０にＢｌｕｅｔｏｏｔｈ通信機能を有する第２のＳＤカード６を装着することで、第１の実施の形態と同様のＢｌｕｅｔｏｏｔｈ通信機能を有する。即ち、第１の実施の形態と同様に、コンテンツの再生には通信可能と設定した携帯端末２とＢｌｕｅｔｏｏｔｈ通信が確立することが必要である。
【００８０】
更にフラグ付けがされたコンテンツについては、再生許可された携帯端末２との通信の確立が必要であり、ユーザーに対応した詳細な視聴制限の設定が可能となる。また、ＳＤカードに記憶されたコンテンツの内容を携帯端末２にて確認できる点も、第１の実施の形態と同様である。
【図面の簡単な説明】
【００８１】
【図１】本発明の第１の実施の形態における情報再生機器によるコンテンツ視聴システムを示した図。
【図２】本発明の第１の実施の形態における情報再生機器１の再生までの設定手順を示したフローチャート。
【図３】本発明の第１の実施の形態における情報再生機器によるコンテンツの再生許可状態を表示した画面の例。
【図４】本発明の第１の実施の形態における情報再生機器のハードウェアを示す図。
【図５】本発明の第１の実施の形態における情報再生機器によるフラグ付け処理のフローチャート。
【図６】本発明の第１の実施の形態における携帯端末によるフラグ付け処理のフローチャート。
【図７】本発明の第１の実施の形態における情報再生機器による再生判別手順のフローチャート。
【図８】本発明の第１の実施の形態の変形例における情報再生機器によるフラグ付け処理のフローチャート。
【図９】本発明の第１の実施の形態の変形例における携帯端末によるフラグ付け処理のフローチャート。
【図１０】本発明の第２の実施の形態における情報再生機器によるコンテンツ視聴システムを示した図。
【図１１】本発明の第２の実施の形態における情報再生機器のハードウェアを示す図。
【符号の説明】
【００８２】
１  情報再生機器
２  携帯端末
３  第１のＳＤカード
４  表示装置
５  リモコン
６  第２のＳＤカード
７  Ｂｌｕｅｔｏｏｔｈモジュール
８  第１のＳＤカードスロット
９  赤外線受信部
１０  第２のＳＤカードスロット
１１  ＲＡＭ
１２  ＲＯＭ
１３  ＣＰＵ
１４  ＬＡＮコネクタ
１５  ＵＳＢコネクタ
１６  ＨＤＭＩコネクタ
１７  電源入力コネクタ
１８  電源コントローラ
１９  第１のＳＤカードコントローラ
２０  映像信号出力端子
２１  第１のＳＤカードコネクタ
２２  第２のＳＤカードコントローラ
２３  第２のＳＤカードコネクタ
１００  コンテンツ視聴システム 
【図１】
2010113671.tif 000003
【図２】
2010113671.tif 000004
【図３】
2010113671.tif 000005
【図４】
2010113671.tif 000006
【図５】
2010113671.tif 000007
【図６】
2010113671.tif 000008
【図７】
2010113671.tif 000009
【図８】
2010113671.tif 000010
【図９】
2010113671.tif 000011
【図１０】
2010113671.tif 000012
【図１１】
2010113671.tif 000013